(57)【要約】【課題】ＩＤタグの取付状態の安定化を図ることのできるパレットを提供する。【解決手段】パレット１は、ＩＤタグ２１を収容するタグ収容部２２と、タグ収容部２２を上方に開口させ、ＩＤタグ２１のタグ収容部２２への挿入を許容する挿入開口部２３と、挿入開口部２３に隣接して、タグ収容部２２の上方に張出すようにして設けられる張出部３０とを備えている。タグ収容部２２は、タグ収容部２２に収容されたＩＤタグ２１が、ＩＤタグ２１の上面の全体が挿入開口部２３の下方の範囲に収まる第１位置と、ＩＤタグ２１の上面の少なくとも一部が張出部３０の下方に位置する第２位置との間で変位可能となるように構成されている。タグ収容部２２に取付けられるキャップ部材４１は、タグ収容部２２において第２位置にあるＩＤタグ２１の第１位置側に位置し、第２位置にあるＩＤタグ２１の第１位置への変位を規制する挿入部４６を備えている。【選択図】      図８
2019011092.tif 000002
【特許請求の範囲】
【請求項１】
複数の柱部と、
前記複数の柱部の上端部間を連結するデッキ部と、
所定の前記柱部に設けられ、ＩＤタグを収容するタグ収容部とを備え、
前記柱部の上面と、前記デッキ部の上面とにより、物品が載置される載置面が構成されるパレットにおいて、
前記タグ収容部を上方に開口させ、前記ＩＤタグの前記タグ収容部への挿入を許容する挿入開口部と、
前記挿入開口部に隣接して、前記タグ収容部の上方に張出すようにして設けられる張出部とを備え、
前記タグ収容部は、前記タグ収容部に収容された前記ＩＤタグが、前記ＩＤタグの上面の全体が前記挿入開口部の下方の範囲に収まる第１位置と、前記ＩＤタグの上面の少なくとも一部が前記張出部の下方に位置する第２位置との間で変位可能となるように構成され、
前記ＩＤタグが前記第２位置に収容された前記タグ収容部に取付けられるキャップ部材を備え、
前記キャップ部材は、前記タグ収容部において前記第２位置にある前記ＩＤタグの前記第１位置側に位置し、前記第２位置にある前記ＩＤタグの前記第１位置への変位を規制する位置決め部を備えていることを特徴とするパレット。
【請求項２】
前記キャップ部材は、前記タグ収容部に挿入される複数の挿入部を備え、
前記キャップ部材を前記タグ収容部に対して第１向きで取付けた状態において、前記複数の挿入部のうち第１挿入部は、前記タグ収容部に設けられた被係合部と係合状態とされる係合部として構成されるとともに、前記複数の挿入部のうち前記第１挿入部とは異なる第２挿入部は、前記位置決め部として構成され、
前記キャップ部材を前記タグ収容部に対して前記第１向きとは異なる第２向きで取付けた状態において、前記第１挿入部は、前記位置決め部として構成されるとともに、前記第２挿入部は、前記係合部として構成されることを特徴とする請求項１に記載のパレット。
【請求項３】
前記キャップ部材は、前記挿入開口部の一部を塞ぐベース部を備え、
前記ベース部は、前記位置決め部よりも軟質な材料により構成されていることを特徴とする請求項１又は２に記載のパレット。
【請求項４】
前記複数の柱部と、前記デッキ部とを備えるパレット構成体を２つ１組として、前記載置面とは反対側の面同士が溶着されることで構成され、
前記各パレット構成体は、前記タグ収容部のうち前記挿入開口部、及び、前記張出部を含む上側の構成を具備する上側収容構成部と、前記上側収容構成部の側方に設けられ、前記タグ収容部の底壁部を含む下側の構成を具備する下側収容構成部とを備え、
互いに同一形状で同一の大きさの前記パレット構成体同士が上下に組合わされ、溶着されることで、上側のパレット構成体の前記上側収容構成部と、下側のパレット構成体の前記下側収容構成部とが合致して、上方に開口する前記タグ収容部が構成されるとともに、上側のパレット構成体の前記下側収容構成部と、下側のパレット構成体の前記上側収容構成部とが合致して、下方に開口する前記タグ収容部が構成されていることを特徴とする請求項１乃至３のいずれかに記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、複数の支柱部と、当該複数の支柱部の上端部間、及び、下端部間を連結する上デッキ、及び、下デッキとを備え、支柱部間においてフォークリフトのフォークを差込み可能なフォーク差込み部を有している。また、パレットに対し、パレットに載置される物品に関する情報等を有するＩＤタグを取付可能とするタグ収容部を設けることが知られている（例えば、特許文献１等参照。）。
【先行技術文献】
【特許文献】
【０００３】
【特許文献１】特開２００９−２０８７８７号公報
【発明の概要】
【発明が解決しようとする課題】
【０００４】
ところで、特許文献１に記載のパレットのタグ収容部は、上下方向に延びるとともに、パレットの上方及び下方に開口する円筒状の周壁と、周壁の上下の開口部に取付けられる上蓋部、及び、下蓋部とを備えている。
【０００５】
しかしながら、例えば、パレットが上下に振動した場合に、タグ収容部に収容されたＩＤタグの上下動によって蓋部が上方又は下方に押圧され、蓋部、ひいては、ＩＤタグがパレットから外れてしまうことが懸念される。
【０００６】
本発明は、上記例示した問題点等を解決するためになされたものであって、その目的は、ＩＤタグの取付状態の安定化を図ることのできるパレットを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．複数の柱部と、
前記複数の柱部の上端部間を連結するデッキ部と、
所定の前記柱部に設けられ、ＩＤタグを収容するタグ収容部とを備え、
前記柱部の上面と、前記デッキ部の上面とにより、物品が載置される載置面が構成されるパレットにおいて、
前記タグ収容部を上方に開口させ、前記ＩＤタグの前記タグ収容部への挿入を許容する挿入開口部と、
前記挿入開口部に隣接して、前記タグ収容部の上方に張出すようにして設けられる張出部とを備え、
前記タグ収容部は、前記タグ収容部に収容された前記ＩＤタグが、前記ＩＤタグの上面の全体が前記挿入開口部の下方の範囲に収まる第１位置と、前記ＩＤタグの上面の少なくとも一部が前記張出部の下方に位置する第２位置との間で変位可能となるように構成され、
前記ＩＤタグが前記第２位置に収容された前記タグ収容部に取付けられるキャップ部材を備え、
前記キャップ部材は、前記タグ収容部において前記第２位置にある前記ＩＤタグの前記第１位置側に位置し、前記第２位置にある前記ＩＤタグの前記第１位置への変位を規制する位置決め部を備えていることを特徴とするパレット。
【０００９】
手段１によれば、タグ収容部にＩＤタグを収容してキャップ部材を取付けることで、タグ収容部においてＩＤタグが張出部の下方の第２位置に配置される。このため、張出部によりＩＤタグの上方への変位を規制することができる。さらに、キャップ部材でＩＤタグの上方への変位を規制する必要がなくなることから、例えば、パレットが上下に振動する等した場合に、キャップ部材がＩＤタグにより上方に押圧されてパレットから外れてしまうといった事態を回避することができる。
【００１０】
また、ＩＤタグをタグ収容部から取外す場合には、第２位置にあるＩＤタグを第１位置としてから上方の挿入開口部へ抜き取る必要があるが、キャップ部材がパレットに取付けられている場合には、キャップ部材の位置決め部により、ＩＤタグの第１位置側への変位が規制される。従って、パレットにキャップ部材を取付けることで、ＩＤタグがパレットから脱落するといった事態をより確実に防止することができる。
【００１１】
さらに、タグ収容部において第２位置にあるＩＤタグの第１位置側に存在する隙間にキャップ部材の位置決め部が配置されることにより、ＩＤタグの第１位置側へのガタツキについても抑止することができる。特に、タグ収容部において第２位置にあるＩＤタグの第１位置側に形成された隙間に対しキャップ部材の位置決め部が上方から挿入されることから、位置決め部をＩＤタグの第１位置側の面と当接又は近接させることができる。従って、タグ収容部に収容されたＩＤタグの周り（別部材であるキャップ部材の位置決め部と、ＩＤタグとの間）にＩＤタグの変位が許容されるような隙間が比較的大きく形成され、ＩＤタグのガタツキ、ひいては、ＩＤタグの故障のリスクが高められてしまうといった事態を回避することができる。
【００１２】
また、ＩＤタグを第２位置に配置する場合には、第１位置にあるＩＤタグを横方向に変位させることとなるため、第２位置に配置されるＩＤタグの上下の幅と、タグ収容部の収容空間の上下の幅とをほぼ同じに構成することができる。従って、ＩＤタグの上下方向へのガタツキを防止することができ、ＩＤタグの上下方向のガタツキに起因してＩＤタグが損傷する等の事態を回避することができる。加えて、ＩＤタグが第１位置と第２位置との間を変位する方向に対して直交する水平方向（ＩＤタグの横幅方向）においても、第２位置にあるＩＤタグの横幅と、タグ収容部の収容空間の横幅とをほぼ同じとすることができ、ＩＤタグの横幅方向におけるガタツキを防止することができる。結果として、ＩＤタグの取付状態の安定化を図ることができる。
【００１３】
尚、位置決め部が第２位置にあるＩＤタグにより第１位置側に押圧されたとしても、キャップ部材がパレットから外れる方向ではない上、タグ収容部の内面側によってキャップ部材を確実に支持させることができる。従って、キャップ部材でＩＤタグの所定方向への変位を規制する構成であっても、キャップ部材がパレットから外れるといった事態を防止することができる。また、基本的に、キャップ部材に対してパレットから外れる方向に比較的大きな力が作用するといった事態が発生することはなく、キャップ部材の取付構造を比較的簡易なものとしても、キャップ部材の取付状態を確実に維持することができる。
【００１４】
手段２．前記キャップ部材は、前記タグ収容部に挿入される複数の挿入部を備え、
前記キャップ部材を前記タグ収容部に対して第１向きで取付けた状態において、前記複数の挿入部のうち第１挿入部は、前記タグ収容部に設けられた被係合部と係合状態とされる係合部として構成されるとともに、前記複数の挿入部のうち前記第１挿入部とは異なる第２挿入部は、前記位置決め部として構成され、
前記キャップ部材を前記タグ収容部に対して前記第１向きとは異なる第２向きで取付けた状態において、前記第１挿入部は、前記位置決め部として構成されるとともに、前記第２挿入部は、前記係合部として構成されることを特徴とする手段１に記載のパレット。
【００１５】
手段２によれば、キャップ部材の係合部と、タグ収容部の被係合部とが係合状態とされることにより、タグ収容部に対してキャップ部材が意図せずに上方に相対変位し、キャップ部材がタグ収容部から外れるといった事態をより確実に防止することができる。また、例えば、キャップ部材と、タグ収容部とを接着剤やねじ等で固定する場合に比べ、取付作業性の向上を図ることができる。
【００１６】
さらに、第１挿入部、及び、第２挿入部のそれぞれが、係合部、及び、位置決め部の両方の機能を備え、キャップ部材の取付向きに応じて、係合部、及び、位置決め部のどちらかの機能を発揮することとなる。これにより、キャップ部材の取付向きを確認する作業の簡略化を図ることができ、キャップ部材の取付作業性の向上、及び、取付向きを間違える不具合の防止等を図ることができる。
【００１７】
手段３．前記キャップ部材は、前記挿入開口部の一部を塞ぐベース部を備え、
前記ベース部は、前記位置決め部よりも軟質な材料により構成されていることを特徴とする手段１又は２に記載のパレット。
【００１８】
手段３によれば、ベース部が比較的軟質な素材により構成されているため、タグ収容部に対する上方からの衝撃をベース部で緩和させることができ、ＩＤタグの保護を図ることができる。また、位置決め部については、比較的硬質な素材で構成することにより、ＩＤタグの位置決め効果をより確実なものとすることができる。特に、上記手段２に対応しては、係合部を構成する挿入部と、被係合部との係合状態をより強固なものとすることができ、キャップ部材の取付状態の安定化をより一層図ることができる。
【００１９】
手段４．前記複数の柱部と、前記デッキ部とを備えるパレット構成体を２つ１組として、前記載置面とは反対側の面同士が溶着されることで構成され、
前記各パレット構成体は、前記タグ収容部のうち前記挿入開口部、及び、前記張出部を含む上側の構成を具備する上側収容構成部と、前記上側収容構成部の側方に設けられ、前記タグ収容部の底壁部を含む下側の構成を具備する下側収容構成部とを備え、
互いに同一形状で同一の大きさの前記パレット構成体同士が上下に組合わされ、溶着されることで、上側のパレット構成体の前記上側収容構成部と、下側のパレット構成体の前記下側収容構成部とが合致して、上方に開口する前記タグ収容部が構成されるとともに、上側のパレット構成体の前記下側収容構成部と、下側のパレット構成体の前記上側収容構成部とが合致して、下方に開口する前記タグ収容部が構成されていることを特徴とする手段１乃至３のいずれかに記載のパレット。
【００２０】
手段４によれば、２つのパレット構成体を上下に組合わせてパレットを構成するとともに、タグ収容部に関しても、２つのパレット構成体を上下に組合わせることで構成されることから、タグ収容部の張出部と、タグ収容部の底壁部とを比較的容易かつ好適に形成することができる。さらに、ＩＤタグを一対のパレット構成体を跨ぐようにして配置することができ、例えば、パレット構成体の単体の上下幅が、ＩＤタグの長手幅よりも短いような場合であっても、ＩＤタグの長手方向を上下方向としてパレットに取付ける（埋設する）ことが可能となる。
【００２１】
また、本手段４のパレットは、どちらのパレット構成体を上側にしても使用可能な両面使用式のパレットとして構成されている上、上方に開口するタグ収容部と、下方に開口するタグ収容部とが設けられていることから、当該パレットに対しＩＤタグを取付ける際に、どちらのパレット構成体が上側になっていても、ＩＤタグをタグ収容部に取付けることができる。従って、ＩＤタグの取付作業性の向上を図ることができる。さらに、別形状のパレット構成体を組合わせる場合に比べ、製造作業性の向上、コストの削減等を図ることができる。
【図面の簡単な説明】
【００２２】
【図１】パレットの斜視図である。
【図２】下構成部（上構成部も同形状）の斜視図である。
【図３】タグ収容部の周辺部を示す部分拡大斜視図である。
【図４】図３の分解斜視図である。
【図５】キャップ部材の下面側斜視図である。
【図６】タグ収容部を示し、パレットの長手方向に沿って上下に切断した場合の断面を含む部分拡大斜視図である。
【図７】上構成部の挿入開口部を介してＩＤタグをタグ収容部に収容させる過程を示し、パレットの長手方向に沿って上下に切断した場合の断面を含む部分拡大斜視図である。
【図８】ＩＤタグが収容され、キャップ部材が取付けられたタグ収容部を示し、パレットの長手方向に沿って上下に切断した場合の断面を含む部分拡大斜視図である。
【図９】ＩＤタグが収容され、キャップ部材が取付けられたタグ収容部を示し、パレットの長手方向に沿って上下に切断した場合の断面、及び、水平断面を含む部分拡大斜視図である。
【図１０】ＩＤタグが収容され、キャップ部材が取付けられたタグ収容部をパレットの長手方向に沿って上下に切断した場合の部分拡大断面図である。
【図１１】キャップ部材が取付けられたタグ収容部を上構成部において水平に切断し、下方から見た場合の部分拡大断面図である。
【図１２】別の実施形態におけるキャップ部材が取付けられたタグ収容部を水平に切断した場合の部分拡大断面図である。
【発明を実施するための形態】
【００２３】
以下に、一実施形態について図面を参照して説明する。図１に示すように、パレット１は、平面視略矩形状をなしている。また、パレット１は、パレット１の各短側辺部に沿って設けられる一対の側柱部２と、パレット１の中央部を通るようにして、パレット１の一方の長側辺部から他方の長側辺部にかけて設けられる中央柱部３と、各側柱部２、及び、中央柱部３の上端部間を連結する上デッキ４と、各側柱部２、及び、中央柱部３の下端部間を連結する下デッキ５とを備えている。加えて、各側柱部２と中央柱部３との間には、フォークリフトのフォークを差込み可能なフォーク差込み部６が形成されている。本実施形態では、パレット１の外周面を構成する４つの側面のうち２つの側面からフォークを差込み可能な２方差しタイプのパレットとなっている。
【００２４】
また、本実施形態では、側柱部２、中央柱部３、及び、上デッキ４の上面によって物品を載置可能な「載置面７」が構成されている。さらに、側柱部２、中央柱部３、及び、下デッキ５の下面によって、パレット１が設置される床面等の設置面に接地する「接地面８」が構成されている。
【００２５】
また、本実施形態のパレット１は、上構成部９と、下構成部１０とから構成されている。上構成部９は、側柱部２、及び、中央柱部３の上側部分と、上デッキ４とを備えている。下構成部１０は、側柱部２、及び、中央柱部３の下側部分と、下デッキ５とを備えている（図２参照）。そして、上構成部９の側柱部２、及び、中央柱部３の下面と、下構成部１０の側柱部２、及び、中央柱部３の上面とを熱溶着することによって上構成部９と下構成部１０とが一体化され、これにより本実施形態のパレット１が構成されている。本実施形態の上構成部９、及び、下構成部１０は、いずれもポリプロピレンにより構成されている。
【００２６】
さらに、本実施形態の上構成部９、及び、下構成部１０は、互いに同一形状で、同一の大きさに構成されており、パレット１の厚み（高さ）方向の中央部、かつ、パレット１の長手方向の中央部を通り、パレット１の短手方向に延びる仮想軸線を中心として互いに点対称形状をなすようにして接続されている。尚、本実施形態では、パレット１を設置面に設置した場合に、上側が上構成部９とされ、下側が下構成部１０とされる。また、上デッキ４がデッキ部に相当し、上構成部９、及び、下構成部１０のそれぞれがパレット構成体に相当する。
【００２７】
また、図２等に示すように、上構成部９、及び、下構成部１０の裏面側には、補強用のリブが格子状に設けられており、側柱部２、及び、中央柱部３については、側柱部２、及び、中央柱部３の外周面を構成する周壁部１１の内側において、側柱部２、及び、中央柱部３の上端部から下端部にかけて延びる内壁部１２が格子状に設けられている。
【００２８】
さて、図１、図３、図４に示すように、パレット１には、平面視でパレット１の長手幅の略中央部、かつ、パレット１の短手幅の中央部近傍（中央柱部３の内壁部１２で区画された領域の１つ）において、略直方体形状のＩＤタグ２１を収容するタグ収容部２２が設けられている。また、タグ収容部２２は、載置面７を構成する中央柱部３の上面に設けられ、タグ収容部２２を上方に開口させて、ＩＤタグ２１のタグ収容部２２への挿入を許容する挿入開口部２３を備えている。本実施形態では、ＩＤタグ２１の長手方向が上下方向となるようにしてタグ収容部２２に収容される。
【００２９】
尚、図１０等に示すように、本実施形態では、上方に開口する（上構成部９に挿入開口部２３が設けられた）タグ収容部２２と、下方に開口する（下構成部１０に挿入開口部２３が設けられた）タグ収容部２２とが一対で設けられている。つまり、上構成部９、及び、下構成部１０のそれぞれにおいて、タグ収容部２２のうち挿入開口部２３を含む上側の構成を具備する上側収容構成部２４と、上側収容構成部２４の側方に設けられ、タグ収容部２２の下側の構成を具備する下側収容構成部２５とが設けられ、上構成部９及び下構成部１０を上下に組合わせて溶着することで、上構成部９の上側収容構成部２４と、下構成部１０の下側収容構成部２５とが合致して、上方に開口するタグ収容部２２が構成されるとともに、上構成部９の下側収容構成部２５と、下構成部１０の上側収容構成部２４とが合致して、下方に開口するタグ収容部２２が構成されている。
【００３０】
以下、特に断りのない限り、上方に開口するタグ収容部２２について説明する。図６、図９、図１１等に示すように、タグ収容部２２は、パレット１の長手方向において相対する第１縦壁部２６、及び、第２縦壁部２７と、第１縦壁部２６、及び、第２縦壁部２７の一方の側辺部間（パレット１の短手方向中央部側の側辺部間）を連結する第３縦壁部２８と、第３縦壁部２８と対向するとともに、前記第２縦壁部２７と連結された第４縦壁部２９とによって、パレット１の長手方向、及び、パレット１の短手方向におけるタグ収容部２２の収容空間の幅が画定されている。第１縦壁部２６、第２縦壁部２７、第３縦壁部２８、及び、第４縦壁部２９は、それぞれ上構成部９（上側収容構成部２４）によって構成される部位と、下構成部１０（下側収容構成部２５）によって構成される部位とを備え、特に、図６に示すように、第１縦壁部２６、第３縦壁部２８は、中央柱部３の上端部から下端部にかけて延びる内壁部１２により構成されている。これに対し、図９に示すように、第２縦壁部２７、及び、第４縦壁部２９は、中央柱部３の上端部、及び、下端部から、上構成部９と下構成部１０との接続面側に延びるものの、接続面にまでは至らず、上構成部９の第２縦壁部２７、及び、第４縦壁部２９と、下構成部１０の第２縦壁部２７、及び、第４縦壁部２９とが上下に離間している。
【００３１】
さらに、本実施形態では、第２縦壁部２７の上辺部から第１縦壁部２６側に延出する張出部３０が設けられている。張出部３０の両側部は、第３縦壁部２８、及び、第４縦壁部２９に連結されている。本実施形態の挿入開口部２３は、張出部３０と、第１縦壁部２６と、第３縦壁部２８と、第４縦壁部２９とで囲まれる範囲に設けられている。
【００３２】
図６等に示すように、タグ収容部２２の下縁部を画定する底壁部３１は、下構成部１０の下側収容構成部２５において設けられている。図８、図１０に示すように、ＩＤタグ２１の長手幅（タグ収容部２２に収容された状態では上下幅）は、パレット１の上下幅（厚み）よりも短く、パレット１の上下幅の半分よりも長くなっている。底壁部３１は、底壁部３１の上面と、張出部３０（後述する張出介助リブ６１）との間の距離が、タグ収容部２２に収容されたＩＤタグ２１の上下幅とほぼ同じとなるように、下構成部１０の接地面８を構成する壁部よりも上方に離間して設けられている。
【００３３】
図３等に示すように、タグ収容部２２には、タグ収容部２２に収容されたＩＤタグ２１の脱落を防止するキャップ部材４１が取付けられる。図４、図５、図８等に示すように、キャップ部材４１は、挿入開口部２３の一部を塞ぐ略矩形板状のベース部４２と、キャップ部材４１をタグ収容部２２に取付けるための係合ピース４３とを備えている。係合ピース４３は、ベース部４２の下面側に設けられた設置凹部４４（図５、図１０参照）に嵌め込まれて固定される略矩形板状の台座部４５と、台座部４５の下面から突出する４つの挿入部４６と、台座部４５の下面の長手幅方向両端部から突出するずれ止め突起４９とを備えている。本実施形態では、係合ピース４３はポリプロピレンにより構成され、ベース部４２は、係合ピース４３よりも軟質なオレフィン系熱可塑性エラストマーにより構成されている。
【００３４】
また、本実施形態では、台座部４５の長手幅方向中央部から外れた位置に、台座部４５の短手幅方向に並ぶ一対の挿入部４６が設けられるとともに、ベース部４２の中央部を中心とする前記一対の挿入部４６の点対称位置に、もう一対の挿入部４６が設けられている。各挿入部４６は、台座部４５から突出する弾性片４７と、弾性片４７の先端部から側方に突出する爪部４８とを備えている。また、台座部４５の短手幅方向に並ぶ一対の挿入部４６は、弾性片４７同士が台座部４５の短手幅方向において所定距離を隔てて対向して設けられるとともに、それぞれの爪部４８が互いに離間する方向に突出するように構成されている。本実施形態の係合ピース４３は、台座部４５（ベース部４２）の中央部を中心として点対称形状をなしている。
【００３５】
これに対し、図４等に示すように、上構成部９の中央柱部３には、挿入開口部２３のうち第１縦壁部２６側の部位と重複するようにして、キャップ部材４１のベース部４２が嵌入するようにして設置されるキャップ設置部５１が設けられている。但し、ベース部４２の長手幅は、タグ収容部２２の第３縦壁部２８と、第４縦壁部２９との間の距離よりも長い（ほぼ２倍となっている）。このため、挿入開口部２３のうち第１縦壁部２６側の部位をパレット１の短手方向に拡張するようにして拡張開口部５２を設けることにより、キャップ設置部５１がキャップ部材４１のベース部４２を設置可能となるまで拡張されている。尚、図９、図１１に示すように、第１縦壁部２６は、拡張開口部５２側にも連続して延びている。また、第４縦壁部２９は、拡張開口部５２に対応する部位が省略されている。
【００３６】
さらに、図４、図１１等に示すように、キャップ設置部５１は、第１縦壁部２６の上辺部よりもベース部４２の厚みと同程度の距離を下方に変位した位置から第２縦壁部２７側に突出する第１係合壁５３と、拡張開口部５２を挟んで第１縦壁部２６の反対側の拡張開口部５２の周縁部に設けられた第２係合壁５４（図９の下方に開口するタグ収容部２２を参照）と、第３縦壁部２８のうちキャップ設置部５１に対応する部位、及び、当該第３縦壁部２８に対向する拡張開口部５２の周縁部に設けられた支持壁５５とを備えている。尚、第２係合壁５４、及び、支持壁５５の上面及び下面の高さ位置は、第１係合壁５３の上面及び下面の高さ位置とそれぞれ同じとなっている。本実施形態では、第１係合壁５３及び第２係合壁５４が被係合部に相当する。
【００３７】
そして、図８、図１０等に示すように、キャップ部材４１のベース部４２をキャップ設置部５１に設置するようにして、キャップ部材４１をタグ収容部２２に取付けた場合、ベース部４２の下面が、第１係合壁５３、第２係合壁５４、及び、支持壁５５の上面に当接して支持される。さらに、図１１等に示すように、キャップ部材４１の４つの挿入部４６のうち、第１縦壁部２６側の２つの挿入部４６は、その爪部４８が第１係合壁５３の下面に係止され、第２係合壁５４側の挿入部４６は、その爪部４８が第２係合壁５４の下面に係止される。加えて、キャップ部材４１の一対のずれ止め突起４９が、キャップ設置部５１の一対の支持壁５５の間に進入し、各ずれ止め突起４９が支持壁５５と当接、又は、近接する。加えて、図４等に示すように、支持壁５５のうちずれ止め突起４９と対応する部位は若干凹状に構成されており、ずれ止め突起４９が当該凹状部に位置した場合、キャップ部材４１の第２縦壁部２７側への変位も規制される。また、キャップ部材４１のベース部４２の上面が、載置面７と略面一とされる。
【００３８】
尚、本実施形態のキャップ部材４１は、ベース部４２の中央部を中心として上面側、及び、下面側の構成がそれぞれ点対称形状となっている。従って、キャップ部材４１のタグ収容部２２への取付けに際して、ベース部４２の長手幅方向と、キャップ設置部５１の長手幅方向とを合わせさえすれば（ベース部４２を挿入開口部２３と、拡張開口部５２とに掛けて設置することで）、上記のように３つの挿入部４６がそれぞれ第１係合壁５３及び第２係合壁５４と係合状態とされ、キャップ部材４１をタグ収容部２２に確実に取付けられるようになっている。
【００３９】
加えて、図４、図１１に示すように、第１係合壁５３、及び、第２係合壁５４には、挿入部４６の爪部４８が係止される位置に対応して、半円状の本体側切欠き部５６が設けられている。さらに、キャップ部材４１のベース部４２においても、各挿入部４６の爪部４８に対応する位置に半円状のキャップ側切欠き部５７が設けられている。キャップ部材４１を取外す場合には、キャップ側切欠き部５７、及び、本体側切欠き部５６を介して、工具の先端部を第１係合壁５３や第２係合壁５４の裏面側にまで進入させ、爪部４８を押圧して弾性片４７を変形させることで、挿入部４６の係合状態を解除することが可能である。
【００４０】
また、図６等に示すように、第１縦壁部２６は、第４縦壁部２９よりも第３縦壁部２８側の位置において、上下に延び、第１係合壁５３の下面に連結される第１介助リブ５８を備えている。さらに、第２縦壁部２７は、第１縦壁部２６側に突出し、上下に延びる２本の第２介助リブ５９を備えている。加えて、第３縦壁部２８は、第４縦壁部２９側に突出し、上下に延びる２本の第３介助リブ６０を備えている。尚、第３縦壁部２８には、張出部３０と、キャップ設置部５１（支持壁５５）との間の範囲において第３縦壁部２８の上辺部に沿って延び、張出部３０、及び、支持壁５５に連結されるリブが設けられており、当該リブについても、第３介助リブ６０を構成する。また、第２介助リブ５９、及び、第３介助リブ６０は、第２縦壁部２７、及び、第３縦壁部２８からの突出長がほぼ一定であるのに対し、第１介助リブ５８は、その上端部から下方に向けて、第１縦壁部２６からの突出長が次第に短くなるように構成されている。
【００４１】
第１介助リブ５８、及び、第２介助リブ５９は、上構成部９にのみ設けられている。その一方で、第３介助リブ６０は、上構成部９、及び、下構成部１０のどちら側にも設けられているが、上構成部９と下構成部１０との接続面の近傍で途切れている。また、２本の第３介助リブ６０のうち一方は、張出部３０の下方位置に設けられ、他方は、張出部３０よりも第１縦壁部２６側の位置に設けられている。
【００４２】
さらに、図１０、図１１に示すように、張出部３０は、底壁部３１側に突出し、パレット１の長手方向（張出部３０の第２縦壁部２７からの延出方向）に沿って延びる２本の張出介助リブ６１を備えている。張出介助リブ６１のうち第１縦壁部２６側の部位は傾斜面となっている。
【００４３】
図４等に示すように、挿入開口部２３は、ＩＤタグ２１の外表面のうち最小面積の面に対応する形状をなしており、本実施形態では、パレット１の長手方向において幅が大きくなっている。また、本実施形態の挿入開口部２３は、張出部３０と、第１縦壁部２６の第１係合壁５３と、第３縦壁部２８の第３介助リブ６０、及び、支持壁５５と、第４縦壁部２９とによって区画されている。
【００４４】
図７に示すように、挿入開口部２３を介してＩＤタグ２１をタグ収容部２２に挿入する場合、ＩＤタグ２１は、挿入開口部２３の周縁部、第１介助リブ５８、第３介助リブ６０、及び、第４縦壁部２９に案内されつつ、ほぼ鉛直に下方へ移動する。そして、図１０の２点鎖線で示すように、挿入開口部２３を介してタグ収容部２２に挿入されたＩＤタグ２１は、当該ＩＤタグ２１の下面が底壁部３１に突き当たり、支持される。この状態では、ＩＤタグ２１の上面は、張出部３０の下面（張出介助リブ６１）とほぼ同じ高さとされる。これにより、タグ収容部２２に収容されたＩＤタグ２１は、ＩＤタグ２１の上面の全体が挿入開口部２３の下方の範囲に収まる第１位置とされる。
【００４５】
尚、第１介助リブ５８、及び、第３介助リブ６０の存在により、第１位置とされたＩＤタグ２１が第１縦壁部２６、及び、第３縦壁部２８の下方に潜り込んでしまうといった事態が回避される。さらに、第１縦壁部２６、及び、第３縦壁部２８において、上構成部９と、下構成部１０とを溶着することで生じ得るバリ等が形成されていたとしても、第１介助リブ５８、及び、第３介助リブ６０によってＩＤタグ２１の側面を案内・支持する構成により、ＩＤタグ２１が前記バリ等と接触することを抑制（第３縦壁部２８側は回避）することができる。また、第２縦壁部２７、第４縦壁部２９、及び、第３介助リブ６０においては、上構成部９と下構成部１０とが離間していることから、前記溶着に起因するバリ等は発生しない。
【００４６】
その後、第１位置にあるＩＤタグ２１を第２縦壁部２７側に押圧して、図１０の実線で示すように、ＩＤタグ２１の側面が第２縦壁部２７（第２介助リブ５９）と当接するまで変位させる。これにより、タグ収容部２２に収容されたＩＤタグ２１は、当該ＩＤタグ２１の上面の一部が張出部３０の下方に位置する第２位置とされる。本実施形態では、パレット１の長手方向において、ＩＤタグ２１の上面の１／４以上の範囲が張出部３０によって覆われるようになっている。また、底壁部３１と、張出部３０（張出介助リブ６１）との間の距離（タグ収容部２２の収容空間の上下の幅）は、タグ収容部２２に収容されたＩＤタグ２１の上下の幅（長手方向の幅）とほぼ同じであり、第２位置とされたＩＤタグ２１は、底壁部３１に当接して支持されるとともに、張出部３０（張出介助リブ６１）と当接、又は、近接するように構成されている。
【００４７】
さらに、第３縦壁部２８（第３介助リブ６０）と、第４縦壁部２９との間の距離（タグ収容部２２の収容空間の横幅）は、タグ収容部２２に収容されたＩＤタグ２１のパレット１の短手方向における幅（ＩＤタグ２１の短い方の横幅）とほぼ同じであり、第２位置とされたＩＤタグ２１は、第３縦壁部２８（第３介助リブ６０）、及び、第４縦壁部２９と当接、又は、近接するように構成されている。
【００４８】
その一方で、タグ収容部２２において第２位置にあるＩＤタグ２１の第１位置側には隙間が形成される。本実施形態では、ＩＤタグ２１が第２位置に収容されたタグ収容部２２に対して、上記のように、キャップ部材４１が取付けられる。すなわち、キャップ部材４１のベース部４２がキャップ設置部５１に設置される（第１係合壁５３、第２係合壁５４、支持壁５５の上面に支持される）とともに、第１係合壁５３、及び、第２係合壁５４の下面に対して、挿入部４６の爪部４８が係止される。尚、本実施形態では、キャップ部材４１の取付状態において、係合ピース４３のベース部４２においても、第１係合壁５３、及び、第２係合壁５４と当接するように構成されている（図１０等参照）。
【００４９】
また、図９、図１０等に示すように、本実施形態では、キャップ部材４１の４つの挿入部４６のうち、タグ収容部２２に位置するとともに爪部４８が第２縦壁部２７側に突出する挿入部４６は、第１係合壁５３や第２係合壁５４に係止されるのではなく、その爪部４８が、第２位置にあるＩＤタグ２１の側面と当接、又は、近接するように構成されている。これにより、第２位置にあるＩＤタグ２１の第１位置側への変位が規制されるようになっている。
【００５０】
さらに、本実施形態では、タグ収容部２２に取付けられたキャップ部材４１のベース部４２の下面と、第２位置にあるＩＤタグ２１とが、近接、又は、当接するように構成されている。但し、キャップ部材４１のベース部４２と、第２位置のＩＤタグ２１とが当接する場合には、ベース部４２と、第２位置にあるＩＤタグ２１とが当接するよりも前に、或いは、ほぼ同時に、第２位置にあるＩＤタグ２１と張出部３０（張出介助リブ６１）とが当接するように構成されている。これにより、例えば、パレット１が上下に振動した場合でも、キャップ部材４１が第２位置にあるＩＤタグ２１から上方に向かう力をほぼ受けないように構成されている。
【００５１】
尚、第２縦壁部２７は、パレット１の長手方向の中央部に位置しており、上構成部９、及び、下構成部１０のそれぞれにおいて、第２縦壁部２７を挟んで、上側収容構成部２４と、下側収容構成部２５とが隣接して設けられる。また、本実施形態では、タグ収容部２２に取付けられたキャップ部材４１の挿入部４６のうち、ＩＤタグ２１と対向して当接又は近接する挿入部４６により位置決め部が構成される。
【００５２】
以上詳述したように、本実施形態によれば、タグ収容部２２にＩＤタグ２１を収容してキャップ部材４１を取付けることで、タグ収容部２２においてＩＤタグ２１が張出部３０の下方の第２位置に配置される。このため、張出部３０によりＩＤタグ２１の上方への変位を規制することができる。さらに、キャップ部材４１でＩＤタグ２１の上方への変位を規制する必要がなくなることから、例えば、パレット１が上下に振動する等した場合に、キャップ部材４１がＩＤタグ２１により上方に押圧されてパレット１から外れてしまうといった事態を回避することができる。
【００５３】
また、ＩＤタグ２１をタグ収容部２２から取外す場合には、第２位置にあるＩＤタグ２１を第１位置としてから上方の挿入開口部２３へ抜き取る必要があるが、キャップ部材４１がパレット１に取付けられている場合には、キャップ部材４１の挿入部４６により、ＩＤタグ２１の第１位置側への変位が規制される。従って、パレット１にキャップ部材４１を取付けることで、ＩＤタグ２１がパレット１から脱落するといった事態をより確実に防止することができる。
【００５４】
さらに、タグ収容部２２において第２位置にあるＩＤタグ２１の第１位置側に存在する隙間にキャップ部材４１の挿入部４６が配置されることにより、ＩＤタグ２１の第１位置側へのガタツキについても抑止することができる。特に、タグ収容部２２において第２位置にあるＩＤタグ２１の第１位置側に形成された隙間に対しキャップ部材４１の複数の挿入部４６が上方から挿入されることから、挿入部４６のうち第２位置にあるＩＤタグ２１に爪部４８が対向する挿入部４６をＩＤタグ２１の第１位置側の面と当接又は近接させる（極力近接配置させる）ことができる。従って、タグ収容部２２に収容されたＩＤタグ２１の周り（パレット１の本体とは別部材であるキャップ部材４１の挿入部４６と、ＩＤタグ２１との間）にＩＤタグ２１の変位が許容されるような隙間が比較的大きく形成され、ＩＤタグ２１のガタツキ、ひいては、ＩＤタグ２１の故障のリスクが高められてしまうといった事態を回避することができる。
【００５５】
また、ＩＤタグ２１を第２位置に配置する場合には、第１位置にあるＩＤタグ２１を横方向に変位させることとなるため、第２位置に配置されるＩＤタグ２１の上下の幅と、タグ収容部２２の収容空間の上下の幅とをほぼ同じに構成することができる。従って、ＩＤタグ２１の上下方向へのガタツキを防止することができ、ＩＤタグ２１の上下方向のガタツキに起因してＩＤタグ２１が損傷する等の事態を回避することができる。加えて、ＩＤタグ２１が第１位置と第２位置との間を変位する方向に対して直交する水平方向（ＩＤタグ２１の短い方の横幅方向）においても、第２位置にあるＩＤタグ２１の横幅と、タグ収容部２２の収容空間の横幅とをほぼ同じとすることができ、ＩＤタグ２１の横幅方向におけるガタツキを防止することができる。結果として、ＩＤタグ２１の取付状態の安定化を図ることができる。
【００５６】
尚、第２位置にあるＩＤタグ２１によりキャップ部材４１の挿入部４６が第１位置側に押圧されたとしても、キャップ部材４１がパレット１から外れる方向ではない上、タグ収容部２２の内面側によってキャップ部材４１を確実に支持させることができる。従って、キャップ部材４１でＩＤタグ２１の所定方向への変位を規制する構成であっても、キャップ部材４１がパレット１から外れるといった事態を防止することができる。また、基本的に、キャップ部材４１に対してパレット１から外れる方向に比較的大きな力が作用するといった事態が発生することはなく、キャップ部材４１の取付構造を比較的簡易なものとしても、キャップ部材４１の取付状態を確実に維持することができる。
【００５７】
また、本実施形態によれば、キャップ部材４１の挿入部４６と、タグ収容部２２の第１係合壁５３、及び、第２係合壁５４とが係合状態とされることにより、タグ収容部２２に対してキャップ部材４１が意図せずに上方に相対変位し、キャップ部材４１がタグ収容部２２から外れるといった事態をより確実に防止することができる。また、例えば、キャップ部材４１と、タグ収容部２２とを接着剤やねじ等で固定する場合に比べ、取付作業性の向上を図ることができる。
【００５８】
さらに、本実施形態のキャップ部材４１は点対称形状をなし、４つの挿入部４６に関しても、ベース部４２の平面視中央部を中心として互いに点対称形状となるように構成されている。このため、キャップ部材４１が所定の向きでタグ収容部２２に取付けられた状態において、第２位置にあるＩＤタグ２１と当接、又は、近接していた挿入部４６は、ベース部４２の平面視中央部を中心としてキャップ部材４１を１８０度回転させた向きでタグ収容部２２に取付けた場合に、第１係合壁５３と係合されることとなる（その代わりに、別の挿入部４６が、第２位置にあるＩＤタグ２１と当接、又は、近接する）。つまり、１つの挿入部４６が、第１係合壁５３と係合される係合部、及び、ＩＤタグ２１の位置決めを行う位置決め部の両方の機能を備え、キャップ部材４１の取付向きに応じて、係合部、及び、位置決め部のどちらかの機能を発揮することとなる。これにより、キャップ部材４１の取付向きを確認する作業の簡略化を図ることができ、キャップ部材４１の取付作業性の向上、及び、取付向きを間違える不具合の防止等を図ることができる。
【００５９】
加えて、挿入部４６は、弾性片４７を備えていることから、キャップ部材４１の取付けに支障を来すことなく、ＩＤタグ２１と対向する挿入部４６を第２位置にあるＩＤタグ２１に近接、当接、又は、圧接させることが可能となる。また、例えば、キャップ部材４１の挿入部４６に弾性片４７が設けられるのではなく、パレット１の第１係合壁５３、及び、第２係合壁５４が弾性片により支持されるような構成に比べ、パレット１本体の強度、及び、耐久性をより高めることができる上、弾性片４７が損傷した場合の対応（交換・修理等）を比較的簡単なものとすることができる。
【００６０】
また、本実施形態のキャップ部材４１は、挿入開口部２３の一部を塞ぐベース部４２を備え、ベース部４２は、挿入部４６を具備する係合ピース４３よりも軟質な材料により構成されている。このように、ベース部４２が比較的軟質な素材により構成されているため、タグ収容部２２に対する上方からの衝撃をベース部４２で緩和させることができ、ＩＤタグ２１の保護を図ることができる。さらに、係合ピース４３については、比較的硬質な素材で構成することにより、ＩＤタグ２１の位置決め効果をより確実なものとすることができる上、挿入部４６と、第１係合壁５３、及び、第２係合壁５４との係合状態をより強固なものとすることができ、キャップ部材４１の取付状態の安定化をより一層図ることができる。
【００６１】
また、本実施形態では、上構成部９と、下構成部１０とを上下に組合わせてパレット１を構成するとともに、タグ収容部２２に関しても、上構成部９の上側収容構成部２４と、下構成部１０の下側収容構成部２５とを上下に組合わせることで構成される。このため、タグ収容部２２の張出部３０と、タグ収容部２２の底壁部３１とを比較的容易かつ好適に形成することができる。さらに、ＩＤタグ２１を上構成部９と、下構成部１０とを跨ぐようにして配置することができ、上構成部９及び下構成部１０の単体の上下幅が、ＩＤタグ２１の長手幅よりも短くても、ＩＤタグ２１の長手方向を上下方向としてパレット１に取付ける（埋設する）ことができる。
【００６２】
また、本実施形態のパレット１は、上構成部９と、下構成部１０とを上下反対にしても使用可能な両面使用式のパレット１として構成されている上、上方に開口するタグ収容部２２と、下方に開口するタグ収容部２２とが設けられていることから、ＩＤタグ２１の取付作業性の向上を図ることができる。さらに、上構成部９と、下構成部１０とが同一形状であることから、別形状の上構成部と、下構成部とを組合わせる場合に比べ、製造作業性の向上、コストの削減等を図ることができる。
【００６３】
尚、上記実施形態の記載内容に限定されず、例えば次のように実施してもよい。勿論、以下において例示しない他の応用例、変更例も当然可能である。
【００６４】
（ａ）上記実施形態では、上構成部９と、下構成部１０とが、同一形状で、同一の大きさに構成されているが、上構成部９と、下構成部１０とで、形状等が異なるよう構成してもよい。例えば、下デッキ５において、ハンドリフトのフォークの下面側に取付けられたキャスターを接地可能とするキャスター用開口部等の開口部が設けられるようなパレット（片面仕様タイプのパレット）に具体化してもよい。また、当該構成を採用する場合、載置面７、及び、接地面８のうち一方側からのみＩＤタグ２１を挿入可能な構成としてもよい。加えて、上構成部９及び下構成部１０は、全ての柱部２、３の上下方向における半分を具備するようになっているが、上構成部９と下構成部１０とを組合わせて全ての柱部２、３が構成されるようになっていればよく、例えば、上構成部９には、一対の側柱部２のうち一方（の全体）と、中央柱部３の上半分とが設けられることとしてもよい。
【００６５】
さらに、上記実施形態では、一対の側柱部２と、中央柱部３とを備える２方差しタイプのパレットとなっているが、パレットの四隅に設けられる４本の隅柱と、パレットの側辺部に沿って並ぶ一対の隅柱の中間部位に設けられる中間柱と、パレットの中央部に設けられる中央柱とを備え、パレットの外周面を構成する４つの側面からフォークを差込み可能な４方差しタイプのパレットに適応することも可能である。
【００６６】
また、上記実施形態では特に言及していないが、載置面７、及び、接地面８に関し、タグ収容部２２以外の部位を無孔状としてもよいし、上デッキ４、及び、下デッキ５を上下に貫通する開口部を有する格子状に構成してもよいし、載置面７、及び、接地面８の全体を格子状に構成してもよい。
【００６７】
（ｂ）上記実施形態では、タグ収容部２２がパレット１の平面視略中央部に設けられているが、別の位置に設けることも可能である。さらに、上記実施形態では、上構成部９、及び、下構成部１０のそれぞれにおいて、上側収容構成部２４と、下側収容構成部２５とが隣接して設けられているが、上構成部９と下構成部１０とを組合わせて、上構成部９の上側収容構成部２４、及び、下側収容構成部２５と、下構成部１０の下側収容構成部２５、及び、上側収容構成部２４とが上下に合致するように構成されていれば、上構成部９、及び、下構成部１０のそれぞれにおいて、上側収容構成部２４と、下側収容構成部２５とが離間して設けられていてもよい。
【００６８】
（ｃ）上記実施形態におけるキャップ部材４１の形状等については特に限定されるものではなく、適宜変更可能である。例えば、図１２に示すように、キャップ設置部５１の拡張開口部５２を省略するとともに、それに応じて、キャップ部材４１が、第３縦壁部２８と、第４縦壁部２９との間に収まるように、キャップ部材４１の長手幅を半減させ、挿入部４６を一対のみとし、台座部４５の長手方向両端部にずれ止め突起４９を設けるような形状としてもよい。また、ずれ止め突起４９を省略し、ベース部４２や挿入部４６でベース部４２の長手方向における位置決めが行われるように構成してもよい。
【００６９】
さらに、上記実施形態のキャップ部材４１は、ベース部４２と、複数の挿入部４６とを備えているが、特にかかる構成に限定されるものではなく、タグ収容部２２において第２位置にあるＩＤタグ２１の第１位置側への変位を規制する位置決め部を備えるとともに、タグ収容部２２に取付可能に構成されていればよい。例えば、挿入部４６の爪部４８を省略し、ベース部４２をキャップ設置部５１に接着剤で固定したり、ベース部４２及び挿入部４６の代わりに、キャップ部を略四角筒状に構成するとともに、キャップ設置部５１（第１係合壁５３、第２係合壁５４、支持壁５５）を省略し、キャップ部材がタグ収容部２２のうち第２位置にあるＩＤタグ２１の第１位置側に圧入されるように構成したりしてもよい。但し、キャップ部材４１に爪部４８を有する挿入部４６を設けるとともに、タグ収容部２２に対応してキャップ設置部５１を設けることで、接着剤を用いるよりも取付作業の向上を図ることができ、キャップ部材を圧入させるだけで固定する場合よりもキャップ部材４１の取付状態の安定化を図ることができる。加えて、上記実施形態の挿入部４６から爪部４８を省略するとともに、ずれ止め突起４９の位置に爪部４８を具備する挿入部４６を設けて支持壁５５に挿入部４６が係合されるように構成してもよい。
【００７０】
また、キャップ部材４１は点対称形状に限定されるものではなく、例えば、上記実施形態の挿入部４６のうち１つを省略したような構成としてもよいし、（図１２のキャップ部材４１の）ベース部４２の一方の長側辺部の中央部と、ベース部４２の他方の長側辺部の両端部近傍とに挿入部４６を設けることとしてもよいし、４つの挿入部４６のうち第２位置にあるＩＤタグ２１と対向配置され得る挿入部４６（の一方、又は、両方）の爪部４８を省略することとしてもよい。但し、キャップ部材４１のタグ収容部２２への取付に際し、キャップ設置部５１の形状と、ベース部４２の形状とを合わせさえすれば、挿入部４６と、第１係合壁５３、及び、第２係合壁５４とが係合するように構成することで、キャップ部材４１の取付向きを確認する作業の簡略化を図ることができ、キャップ部材４１の取付作業性の向上、取付向きを間違える不具合の防止等を図ることができる。
【００７１】
さらに、例えば、挿入部４６の弾性片４７を省略して爪部４８が弾性変形しない部位から突出するように構成してもよいし、キャップ部材４１側に孔状又は凹状の係合部が設けられる一方で、当該係合部と係合されるパレット１の本体側の被係合部が突状（爪状）に構成されることとしてもよい。但し、パレット１の本体側の被係合部が弾性片を有する構成の場合、当該被係合部の損傷のリスクが高くなることから、パレット１の本体よりも比較的容易に交換することのできるキャップ部材４１側の挿入部４６が弾性片４７及び爪部４８を備えるように構成することが望ましい。
【００７２】
加えて、上記実施形態では、キャップ部材４１の取付状態において、ベース部４２の上面と、載置面７とが略面一となっているが、ベース部４２が載置面７から上方に突出したり、ベース部４２が載置面７よりも下方に没入したりするように構成してもよい。
【００７３】
（ｄ）上記実施形態では、ＩＤタグ２１が略直方体形状をなしているが、特にかかる構成に限定されるものではなく、例えば、略円柱状に構成されていてもよい。また、パレット１に対するＩＤタグ２１の設置の向きについても特に限定されるものではなく、例えば、第１縦壁部２６と、第２縦壁部２７とがパレット１の短手方向において相対する、或いは、パレット１の長手方向、及び、短手方向に対して交差する方向において相対するように構成してもよい。加えて、上記実施形態では、タグ収容部２２に取付けられたキャップ部材４１のベース部４２は、第２位置にあるＩＤタグ２１と当接し得るように構成されているが、当接し得ないように構成してもよい。
【００７４】
（ｅ）上記実施形態では、パレット１はポリプロピレンにより構成されているが、ポリエチレン、ＰＥＴ、ポリアミド等その他の樹脂材料により構成されることとしてもよい。また、上記実施形態では、キャップ部材４１のベース部４２がオレフィン系エラストマーにより構成され、係合ピース４３（挿入部４６）がポリプロピレンにより構成されているが、特にかかる構成に限定されるものではなく、適宜変更可能である。例えば、ベース部４２を、スチレン系エラストマー、エチレン酢酸ビニル共重合体、軟質塩化ビニル、エチレン−プロピレン−ジエンゴム、スチレン・ブタジエンゴム等で構成してもよい。さらに、例えば、係合ピース４３を、高密度ポリエチレン（硬質のポリオレフィン樹脂）や硬質塩化ビニル等の硬質合成樹脂で構成してもよい。
【符号の説明】
【００７５】
１…パレット、２…側柱部、３…中央柱部、４…上デッキ、５…下デッキ、６…フォーク差込み部、７…載置面、８…接地面、９…上構成部、１０…下構成部、２１…ＩＤタグ、２２…タグ収容部、２３…挿入開口部、２４…上側収容構成部、２５…下側収容構成部、２６…第１縦壁部、２７…第２縦壁部、２８…第３縦壁部、２９…第４縦壁部、３０…張出部、３１…底壁部、４１…キャップ部材、４２…ベース部、４３…係合ピース、４６…挿入部、４７…弾性片、４８…爪部、５１…キャップ設置部、５２…拡張開口部、５３…第１係合壁、５４…第２係合壁、５８…第１介助リブ、５９…第２介助リブ、６０…第３介助リブ、６１…張出介助リブ。
【図１】
2019011092.tif 000003
【図２】
2019011092.tif 000004
【図３】
2019011092.tif 000005
【図４】
2019011092.tif 000006
【図５】
2019011092.tif 000007
【図６】
2019011092.tif 000008
【図７】
2019011092.tif 000009
【図８】
2019011092.tif 000010
【図９】
2019011092.tif 000011
【図１０】
2019011092.tif 000012
【図１１】
2019011092.tif 000013
【図１２】
2019011092.tif 000014